(57)【要約】      （修正有）【課題】炊飯器を携帯電話で遠隔制御によって炊飯運転する場合、たとえば家族の複数人が携帯電話を使って炊飯器を遠隔制御すれば、炊飯がすでに終わっているお米が炊飯釜に残っていることに気づかずもう一度炊飯するような遠隔制御を行うことが起こる。【解決手段】遠隔制御許可部は、制御端末から送信される遠隔制御情報を受信して、遠隔制御情報に示す運転内容が、所定期間の間に運転部が既に行った運転内容と同じであればその遠隔制御を拒否する。【選択図】図５
2014226238.tif 000002
【特許請求の範囲】
【請求項１】
制御端末から送信される遠隔制御情報を受信する遠隔制御通信手段と、
炊飯器本体に備えて使用者により入力される運転指示情報を受け付ける操作手段と、
前記遠隔制御情報もしくは前記運転指示情報に従って運転を行う運転手段と、
前記遠隔制御情報に従った運転を許可するか拒否するかを判定する遠隔制御許可手段とを備え、
前記遠隔制御許可手段は、前記遠隔制御情報に示す運転内容が、所定期間の間に前記運転手段が既に行った運転内容と同じであれば拒否と判定する、
炊飯器。
【請求項２】
前記所定期間は、前記炊飯器本体が備える前記操作手段によって所定の操作が行われてから、所定の操作が行われるまでとする請求項１記載の炊飯器。
【請求項３】
前記炊飯器は前記遠隔制御通信手段に電源を供給する遠隔制御電源手段を備え、
前記所定期間の始まりは、前記遠隔制御電源手段からの電源供給を開始したときとする請求項１記載の炊飯器。
【請求項４】
前記炊飯器は前記運転手段に電源を供給する機器電源手段を備え、
前記所定期間の始まりは、前記操作手段によって前記機器電源手段からの電源供給を開始したときとする請求項１記載の炊飯器。
【請求項５】
前記炊飯器は炊飯釜の有無を検知する釜検知手段を備え、
前記所定期間は、前記炊飯釜の有りを検知してから、前記炊飯釜の無しを検知するまでとする請求項１記載の炊飯器。
【請求項６】
前記炊飯器は炊飯器の蓋の開閉を検知する蓋検知手段を備え、
前記蓋が開いているときは前記遠隔制御許可手段は遠隔制御情報に従った運転を拒否する請求項１記載の炊飯器。
【請求項７】
前記遠隔制御許可手段は、遠隔制御の許可状態から拒否状態、または拒否状態から許可状態に変化したときに前記制御端末に報知信号を送信して報知させる請求項１記載の炊飯器。
【請求項８】
炊飯器と前記炊飯器を遠隔制御する制御端末とからなる炊飯システムにおいて、
前記制御端末から送信される遠隔制御情報を受信する遠隔制御通信手段と、
前記炊飯器本体に備えて使用者により入力される運転指示情報を受け付ける操作手段と、前記遠隔制御情報もしくは前記運転指示情報に従って運転を行う運転手段と、
前記遠隔制御情報に従った運転を許可するか拒否するかを判定する遠隔制御許可手段とを備え、
前記遠隔制御許可手段は、前記遠隔制御情報に示す運転内容が、所定期間の間に前記運転手段が既に行った運転内容と同じであれば拒否と判定する、
炊飯システム。
【請求項９】
端末によって遠隔制御される炊飯器の制御方法において、
前記制御端末から送信される遠隔制御情報を受信する遠隔制御通信のステップと、
前記炊飯器本体に備えて使用者により入力される運転指示情報を受け付ける操作のステップと、
前記遠隔制御情報もしくは前記運転指示情報に従って運転手段で運転を行う運転のステップと、
前記遠隔制御情報に従った運転を許可するか拒否するかを遠隔制御許可手段で判定する遠隔制御許可のステップとを備え、
前記遠隔制御許可手段は、前記遠隔制御情報に示す運転内容が、所定期間の間に前記運転手段が既に行った運転内容と同じであれば拒否と判定する、
炊飯器の制御方法。
【請求項１０】
制御端末によって遠隔制御される炊飯器の制御プログラムにおいて、
前記制御端末から送信される遠隔制御情報を受信する遠隔制御通信手段と、
前記炊飯器本体に備えて使用者により入力される運転指示情報を受け付ける操作手段と、前記遠隔制御情報もしくは前記運転指示情報に従って運転を行う運転手段と、
前記遠隔制御情報に従った運転を許可するか拒否するかを判定する遠隔制御許可手段とを備え、
前記遠隔制御許可手段は、前記遠隔制御情報に示す運転内容が、所定期間の間に前記運転手段が既に行った運転内容と同じであれば拒否と判定する、
炊飯器、としてコンピュータを機能させる制御プログラム。
【発明の詳細な説明】
【技術分野】
【０００１】
本発明は、制御端末と通信を行って遠隔制御する炊飯器、炊飯システム、炊飯器の制御方法、炊飯器の制御プログラムに関するものである。
【背景技術】
【０００２】
従来、制御端末と通信を行って遠隔制御する炊飯器として、たとえば、特許文献１には、外部サーバと交信して炊飯器の炊飯開始指令を受け付ける通信機能付き炊飯器の発明がある。
【先行技術文献】
【特許文献】
【０００３】
【特許文献１】特開２００６−２８８７２４号公報
【発明の概要】
【発明が解決しようとする課題】
【０００４】
上記の特許文献１では、すでに炊飯器が炊飯終了して保温していることに気づかずに携帯電話から炊飯開始指令を送信すると、炊飯済のご飯を再度炊飯してしまうことが起きる。
【０００５】
すなわち、遠隔制御を行う携帯電話の使用者は、炊飯器の場所にいて炊飯器を直接操作するときと異なって炊飯器の運転状況や炊飯釜の中のお米の状況がよくわからない。そのため、炊飯釜の中のお米がすでに炊飯が終了しているにもかかわらず、遠隔から携帯電話で炊飯器に炊飯運転開始の指示を行うことがあり得る。そうすると、せっかく炊飯したご飯をもう一度炊飯することになる。
【０００６】
家族の複数人が携帯電話を使って炊飯器を遠隔制御すれば、上記のように炊飯釜にあるお米がすでに炊飯の終わっっていることに気づかずもう一度炊飯するような行き違いが起こる可能性がある。
【０００７】
本発明が解決しようとする課題は、遠隔制御で起こるこのような行き違いを防ぐことである。
【課題を解決するための手段】
【０００８】
前記従来の課題を解決するために、本発明の炊飯器は、制御端末から送信される遠隔制御情報を受信する遠隔制御通信手段と、炊飯器本体に備えて使用者により入力される運転指示情報を受け付ける操作手段と、遠隔制御情報もしくは運転指示情報に従って運転を行う運転手段と、遠隔制御情報に従った運転を許可するか拒否するかを判定する遠隔制御許可手段とを備え、遠隔制御許可手段は、遠隔制御情報に示す運転内容が、所定期間の間に運転手段が既に行った運転内容と同じであれば拒否と判定するものである。
【０００９】
これによれば、遠隔制御許可手段によって既に一度行った運転は遠隔制御を拒否するので、一度炊飯したご飯を気づかずに再度炊飯するような遠隔制御を防ぐことができる。
【発明の効果】
【００１０】
本発明の炊飯器、炊飯システム、炊飯器の制御方法、炊飯器の制御プログラムは、遠隔制御情報に従った運転を許可するか拒否するかを判定する遠隔制御許可手段を備え、遠隔制御許可手段は、遠隔制御情報に示す運転内容が、所定期間の間に運転手段が既に行った
運転内容と同じであれば拒否と判定する。これによって、遠隔制御許可手段によって既に一度行った運転は遠隔制御を拒否するので、一度炊飯したご飯を再度炊飯することを防ぐことができる。
【図面の簡単な説明】
【００１１】
【図１】本実施の形態１の炊飯システムの構成図
【図２】本実施の形態１の炊飯システムのフローチャート
【図３】本実施の形態１の炊飯システムの別のフローチャート
【図４】本実施の形態１の炊飯システムの動作例を示す図
【図５】本実施の形態１の炊飯システムの別の動作例を示す図
【図６】本実施の形態２の炊飯システムの動作例を示す図
【図７】本実施の形態２の炊飯システムの別の動作例を示す図
【図８】本実施の形態１、２の炊飯システムの別の構成図
【図９】本実施の形態１、２の炊飯システムの別の構成図
【発明を実施するための形態】
【００１２】
第１の発明は、制御端末から送信される遠隔制御情報を受信する遠隔制御通信手段と、炊飯器本体に備えて使用者により入力される運転指示情報を受け付ける操作手段と、遠隔制御情報もしくは運転指示情報に従って運転を行う運転手段と、遠隔制御情報に従った運転を許可するか拒否するかを判定する遠隔制御許可手段とを備え、遠隔制御許可手段は、遠隔制御情報に示す運転内容が、所定期間の間に運転手段が既に行った運転内容と同じであれば拒否と判定する炊飯器である。
【００１３】
これによれば、遠隔制御許可手段によって既に一度行った運転は遠隔制御を拒否するので、一度炊飯したご飯を再度炊飯することを防ぐことができる。
【００１４】
第２発明は、第１の発明において、所定期間は、炊飯器本体が備える操作手段によって所定の操作が行われてから、所定の操作が行われるまでとする炊飯器である。
【００１５】
これによれば、たとえば、炊飯器の電源オンスイッチや炊飯開始スイッチ、遠隔制御待ち受けオンスイッチを押してから、電源オフスイッチや炊飯停止スイッチ、遠隔制御待ち受けオフスイッチを押すまでのあいだに遠隔制御許可手段は既に一度行った運転は遠隔制御を拒否する。炊飯器本体が備える操作手段の所定の操作を介して炊飯器の状態を把握することで一度炊飯したご飯を再度炊飯することを防ぐことができる。
【００１６】
第３発明は、第１の発明において、炊飯器は遠隔制御通信手段に電源を供給する遠隔制御電源手段を備え、所定期間の始まりは、遠隔制御電源手段からの電源供給を開始したときとする炊飯器である。
【００１７】
これによれば、制御端末から送信される遠隔制御情報を受信する遠隔制御通信手段に電源を供給することで炊飯器は遠隔制御情報を待ち受け可能となるが、これ以降に遠隔制御許可手段は既に一度行った運転は遠隔制御を拒否することで一度炊飯したご飯を再度炊飯することを防ぐことができる。
【００１８】
第４発明は、第１の発明において、炊飯器は運転手段に電源を供給する機器電源手段を備え、所定期間の始まりは、操作手段によって機器電源手段からの電源供給を開始したときとする炊飯器である。
【００１９】
これによれば、炊飯器の運転手段に電源を供給することで炊飯器は運転可能となるが、これ以降に遠隔制御許可手段は既に一度行った運転は遠隔制御を拒否することで一度炊飯
したご飯を再度炊飯することを防ぐことができる。
【００２０】
第５の発明は、第１の発明において、炊飯器は炊飯釜の有無を検知する釜検知手段を備え、所定期間は、炊飯釜の有りを検知してから、炊飯釜の無しを検知するまでとする請求項１記載の炊飯器である。
【００２１】
これによれば、お米を準備した炊飯釜を炊飯器にセットしてから、炊飯し終わった後に炊飯釜を炊飯器から取り外すまでのあいだに遠隔制御許可手段は既に一度行った運転は遠隔制御を拒否する。炊飯釜の有無の状態変化を把握することで一度炊飯したご飯を再度炊飯することを防ぐことができる。
【００２２】
第６の発明は、炊飯器は炊飯釜の蓋の開閉を検知する蓋検知手段を備え、炊飯釜の蓋が開いているときは遠隔制御許可手段は遠隔制御情報に従った運転を拒否する炊飯器である。
【００２３】
これによれば、炊飯釜の蓋が開いているときは遠隔制御を拒否するので実行不能である遠隔制御を拒否すると共に、蓋を開けているときや蓋を閉めたとたんに炊飯器が運転動作するのを防ぎ安全を確保することができる。
【００２４】
第７の発明は、遠隔制御許可手段は、遠隔制御の許可状態から拒否状態、または拒否状態から許可状態に変化したときに制御端末に報知信号を送信して報知させる炊飯器である。
【００２５】
これによれば、制御端末は炊飯器の遠隔制御の許可または拒否の状態を報知するので、拒否状態にある炊飯器に遠隔制御を行うことをなくすことができる。
【００２６】
第８の発明は、炊飯器と炊飯器を遠隔制御する制御端末とからなる炊飯システムにおいて、制御端末から送信される遠隔制御情報を受信する遠隔制御通信手段と、炊飯器本体に備えて使用者により入力される運転指示情報を受け付ける操作手段と、遠隔制御情報もしくは運転指示情報に従って運転を行う運転手段と、遠隔制御情報に従った運転を許可するか拒否するかを判定する遠隔制御許可手段とを備え、遠隔制御許可手段は、遠隔制御情報に示す運転内容が、所定期間の間に運転手段が既に行った運転内容と同じであれば拒否と判定する炊飯システムである。
【００２７】
これによれば、遠隔制御許可手段によって既に一度行った運転は遠隔制御を拒否するので、一度炊飯したご飯を再度炊飯することを防ぐことができる。
【００２８】
第９の発明は、制御端末によって遠隔制御される炊飯器の制御方法において、制御端末から送信される遠隔制御情報を受信する遠隔制御通信のステップと、炊飯器本体に備えて使用者により入力される運転指示情報を受け付ける操作のステップと、遠隔制御情報もしくは運転指示情報に従って運転手段で運転を行う運転のステップと、遠隔制御情報に従った運転を許可するか拒否するかを遠隔制御許可手段で判定する遠隔制御許可のステップとを備え、遠隔制御許可手段は、遠隔制御情報に示す運転内容が、所定期間の間に運転手段が既に行った運転内容と同じであれば拒否と判定する炊飯器の制御方法である。
【００２９】
これによれば、遠隔制御許可手段によって既に一度行った運転は遠隔制御を拒否するので、一度炊飯したご飯を再度炊飯することを防ぐことができる。
【００３０】
第１０の発明は、制御端末によって遠隔制御される炊飯器の制御プログラムにおいて、制御端末から送信される遠隔制御情報を受信する遠隔制御通信手段と、炊飯器本体に備え
て使用者により入力される運転指示情報を受け付ける操作手段と、遠隔制御情報もしくは運転指示情報に従って運転を行う運転手段と、遠隔制御情報に従った運転を許可するか拒否するかを判定する遠隔制御許可手段とを備え、遠隔制御許可手段は、遠隔制御情報に示す運転内容が、所定期間の間に運転手段が既に行った運転内容と同じであれば拒否と判定する炊飯器としてコンピュータを機能させる制御プログラムである。
【００３１】
これによれば、遠隔制御許可手段によって既に一度行った運転は遠隔制御を拒否するので、一度炊飯したご飯を再度炊飯することを防ぐことができる。
【００３２】
以下、本発明の実施の形態について、図面を参照しながら説明する。なお、この実施の形態によって本発明が限定されるものではない。
【００３３】
（実施の形態１）
図１は、本発明の実施の形態１に係る炊飯システムの全体構成を示す図である。
【００３４】
図１に示す炊飯システムは、携帯電話やスマートフォンなど遠隔制御を行う制御端末１、制御端末１によって遠隔制御される炊飯器２、制御端末１と炊飯器２とのあいだに入って通信の中継や情報処理を行う中継装置３を備える。中継装置３は制御端末１の通信網の基地局であったり、制御端末１と炊飯器２との同期を行うサーバ、あるいはまた炊飯器２を使用する家庭に置くホームサーバ、ホームゲートウエイや無線ＬＡＮ親機である。
【００３５】
制御端末１と中継装置３とのあいだは電話網、データ通信網などの無線通信で接続される。中継装置３と炊飯器２とは電話網、データ網などの無線通信で接続されるほか、中継装置３が家庭内であれば無線通信ＬＡＮや有線通信ＬＡＮ、ＢｌｕｅＴｏｏｔｈ（登録商標）や小電力無線で接続される。
【００３６】
なお、制御端末は１台に限らず、たとえば家族それぞれが携帯する複数の制御端末から炊飯器を遠隔制御できるものとする。以下、実施の形態では１台の制御端末で説明するが、複数台の場合は他の制御端末も図示した制御端末と同じ構成、同じ動作をするものとする。
【００３７】
制御端末１の構成について説明する。
【００３８】
無線通信部１１は、中継装置３に炊飯器２の遠隔制御情報を送信したり、炊飯器２や中継装置３の状態情報や報知信号を受信する。送信した遠隔制御情報は中継装置３を通して炊飯器２へ、状態情報や報知信号は炊飯器２や中継装置３から取得する。
【００３９】
ほかに制御端末１は、遠隔制御情報を使用者が入力する入力部１２、炊飯器２や中継装置３の状態情報や報知信号を表示したり音で報知する報知部１３を備える。制御部１４は、無線通信部１１、入力部１２、報知部１３と連携して制御端末１の全体動作を制御する。
【００４０】
次に炊飯器２の構成について説明する。
【００４１】
炊飯器２は、中継装置３と通信を行う遠隔制御ユニット２１と、炊飯機能を有する炊飯ユニット２２とに分けて構成される。
【００４２】
この構成のメリットは、遠隔制御ユニット２１と炊飯ユニット２２との電源オン・オフを独立して制御できるので、遠隔制御しないで炊飯を行う場合は遠隔制御ユニット２１の電源をオフできる。また遠隔制御の待ち受けを行う場合は炊飯ユニット２２の電源をオフ
にしておき、遠隔制御によって炊飯を行うときにのみ遠隔制御ユニット２１によって炊飯ユニット２２の電源をオンすることができる。このように炊飯器２の電源制御を行うことで省電力化が可能になる。もちろん、遠隔制御ユニット２１と炊飯ユニット２２との電源を同時にオン・オフするようにしてもよい。
【００４３】
また、遠隔制御ユニット２１は炊飯ユニット２２に後付けで設置可能なアダプタ構成としてもよいし、遠隔制御ユニット２１と炊飯ユニット２２とを明確に分けずに一体構成で炊飯器２を実現してもよい。
【００４４】
まず遠隔制御ユニット２１の構成について説明する。
【００４５】
遠隔制御通信部２３は、中継装置３に炊飯器２の状態情報や報知信号を送信したり、中継装置３を通して制御端末１から遠隔制御情報を受信する。炊飯器２の状態情報や報知信号は炊飯ユニット２２から取得し、遠隔制御通信部２３から送信されると中継装置３を通して制御端末１へ送信される。一方、受信した遠隔制御情報は遠隔制御許可部２４を通して炊飯ユニット２２へ送られる。
【００４６】
遠隔制御許可部２４は、詳細は後述するが、受信した遠隔制御情報に含まれる炊飯ユニット２２の運転指示を許可するか拒否するかを判定する。そのために所定期間をカウントして、その所定期間の間に炊飯ユニット２２で既に行った運転内容と同じであれば遠隔制御を拒否と判定する。この遠隔制御許可部２４によって既に一度行った運転は遠隔制御を許可しないで拒否するので、一度炊飯したご飯を再度炊飯することを防ぐことができる。
【００４７】
遠隔制御電源部２５は、遠隔制御ユニット２１の電源部であって遠隔制御通信部２３と遠隔制御許可部２４に電源を供給する。炊飯器２が制御端末１からの遠隔制御情報を受信する（遠隔制御待ち受けオン状態）には遠隔制御電源部２５によって遠隔制御ユニット２１の電源が供給されていることが条件になる。逆にいえば、炊飯器２を制御端末１から遠隔制御させたくなければ遠隔制御電源部２５から遠隔制御ユニット２１への電源供給を切った状態にすればよい。
【００４８】
次に、炊飯ユニット２２の構成について説明する。
【００４９】
運転部２６は炊飯器２の炊飯機能であり、炊飯釜や加熱器など様々な構成をまとめて本実施の形態では運転部とする。
【００５０】
操作部２７は、運転部２６の設定操作を使用者が入力して運転指示情報の作成を行うところで、たとえば炊飯器２（または炊飯ユニット２２）の電源スイッチや炊飯コースの内容の設定スイッチ、炊飯開始／停止のスイッチである。これらの操作部２７は炊飯器２本体に備えられている。また、操作部２７を使って遠隔制御ユニット２１の設定の操作を行うこともできる。たとえば、制御端末や中継装置との通信の初期設定や遠隔制御電源部２５の電源オン／オフである。
【００５１】
報知部２８は、操作部２７の操作内容を表示したり音声で案内する。また炊飯器２や遠隔制御ユニット２１、炊飯ユニット２２の状態を表示したり音で使用者に報知する。
【００５２】
蓋検知部２９は、炊飯ユニット２２の炊飯釜の蓋の開閉を検知し、機器制御部３０を通して遠隔制御許可部２４に知らせる。詳細は後述するが、蓋検知部２９に応じて遠隔制御情報に含まれる炊飯ユニット２２の運転指示を許可するか拒否するかを判定するのでなければ、蓋検知部は本実施の形態に必須ではない。
【００５３】
釜検知部３２は、炊飯ユニット２２の炊飯釜の有無を検知し、機器制御部３０を通して遠隔制御許可部２４に知らせる。詳細は後述するが、遠隔制御許可部２４で所定期間をカウントする方法の一つとして炊飯釜の有無検知がある。釜検知以外による方法の場合は釜検知部３２は本実施の形態に必須ではない。
【００５４】
機器制御部３０は、運転部２６、操作部２７、報知部２８、蓋検知部２９、釜検知部３２と連携して炊飯ユニット２２の全体動作を制御する。
【００５５】
そして機器電源部３１は、炊飯ユニット２２の電源部であって機器制御部３０、運転部２６、操作部２７、報知部２８、蓋検知部２９、釜検知部３２に電源を供給する。あるいは、蓋検知部２９、釜検知部３２は機器電源部３１によらず、炊飯ユニット２２に電源が供給されていないときでも検知可能なように機械的に構成してもよい。
【００５６】
また機器電源部３１の電源オン／オフは遠隔制御許可部２４から制御可能で、これによって炊飯機能が必要になれば炊飯ユニット２２に電源を供給し、炊飯機能が不要になれば炊飯ユニット２２の電源を切りことができる。また、機器電源部３１は機器制御部３０から電源を切ることができる。
【００５７】
以上によって、炊飯器２は、遠隔制御通信部２３で制御端末１から送信される遠隔制御情報を受信する一方で、操作部２７で使用者により入力される運転指示情報を受け付け、運転部２６は遠隔制御情報もしくは運転指示情報に従って運転を行う。このとき遠隔制御許可部２４は遠隔制御情報に従った運転を許可するか拒否するかを判定する。つまり、遠隔制御情報に示す運転内容が、所定期間の間に運転部２６が既に行った運転内容と同じであれば拒否と判定する。
【００５８】
上記で説明した、制御端末１と、遠隔制御ユニット２１と、炊飯ユニット２２の各部の動作例について、図２のフローチャートで説明する。図２では、中継装置は制御端末１と炊飯器２の通信を中継するだけであるので説明の便宜上、制御端末１と炊飯器２の通信を中継する中継装置の説明は省く。
【００５９】
遠隔制御の待ち受けオン状態から説明をはじめる。遠隔制御ユニット２１の遠隔制御電源部２５は電源供給オン、炊飯ユニット２２の機器電源部３１は電源供給オフとする。これにより、炊飯器２は遠隔制御ユニット２１の電源を入りにして遠隔制御を可能とする一方、炊飯ユニット２２の電源を切りとして省電力をはかる。
【００６０】
ステップＳ１では、制御端末１にて入力部１２を用いて使用者が遠隔操作を入力する。制御部１４で遠隔制御情報が生成される。
【００６１】
ステップＳ２で、生成した遠隔制御情報を無線通信部１１から中継装置３を通して遠隔制御ユニット２１に送信する。
【００６２】
ステップＳ３で、遠隔制御ユニット２１は遠隔制御情報を遠隔制御通信部２３で受信する。
【００６３】
ステップＳ４で、受信した遠隔制御情報に含まれる遠隔制御の内容（炊飯ユニット２２の運転部２６の運転内容）を遠隔制御許可部２４は許可するか拒否するかを判定する。
【００６４】
ステップＳ５で、遠隔制御許可部２４が遠隔制御情報を拒否した場合は、その旨の拒否情報を遠隔制御通信部２３から制御端末１に送信する。拒否情報には、拒否された理由の情報や後述するような炊飯ユニット２２の運転状況の情報を含めてもよい。
【００６５】
ステップＳ６で、制御端末１は無線通信部１１で拒否情報を受信し、制御部１４はその旨を報知部１３に報知させる。
【００６６】
さて、ステップＳ４で受信した遠隔制御情報に含まれる遠隔制御の内容を遠隔制御許可部２４が許可した場合、遠隔制御許可部２４は炊飯ユニット２２の遠隔制御を行う準備として機器電源部３１によって炊飯ユニット２２の電源供給を開始する（ステップＳ７）。
【００６７】
そして、炊飯ユニット２２が起動した後、遠隔制御許可部２４から遠隔制御情報を機器制御部３０に送信し（ステップＳ８）、機器制御部３０は運転部２６に遠隔制御情報に含まれる運転内容を指示して運転部２６でその運転が開始される（ステップＳ９）。
【００６８】
運転部２６の運転が始まると、ここでは説明上、炊飯、保温というように炊飯の工程が進むものとする。
【００６９】
炊飯の工程が始まって運転部２６の炊飯状況が変わると、ステップＳ１０で機器制御部３０は炊飯の状態情報（炊飯が始まったことを示す）を作成し、報知部２８によって炊飯器２本体で報知する。あわせて、機器制御部３０は状態情報を含む報知信号を遠隔制御通信部２３から中継装置３を通して制御端末１に送信する（ステップＳ１１）。制御端末１は報知信号を無線通信部１１で受信して制御端末が備える報知部１３で、つまり遠隔にて状態情報を報知することができる（ステップＳ１２）。
【００７０】
また、遠隔制御許可部２４は既に一度行った運転は遠隔制御を拒否するので、運転部２６の炊飯状況が変わると、たとえば炊飯から保温に変わると「炊飯」に関する遠隔制御は許可から拒否の対象になる。つまり、炊飯ユニット２２で炊飯工程を終えると以降、制御端末１から「炊飯」の遠隔制御は拒否されて実行できなくなる。
【００７１】
このように運転部２６の運転状況に応じて遠隔制御の許可／拒否の対象（遠隔制御の許可情報）が変化する。遠隔制御許可部２４は遠隔制御の許可情報を報知信号に含めて遠隔制御通信部２３から制御端末１に送信することで（ステップＳ１１）、制御端末１は報知信号を無線通信部１１で受信して報知部１３で許可情報を報知することができる（ステップＳ１２）。
【００７２】
そして、運転部２６で炊飯が終わり保温に入ると、つまり炊飯が終了すると、ステップＳ１３で、機器制御部３０は炊飯の状態情報（運転終了を示す）を作成し、報知部２８によって炊飯器２本体で報知する。あわせて、機器制御部３０は状態情報を報知信号に含めて遠隔制御通信部２３から制御端末１に送信することで（ステップＳ１４）、制御端末１は報知信号を無線通信部１１で受信して報知部１３で状態情報を報知することができる（ステップＳ１５）。
【００７３】
なお、図２の説明では最初の状態として、遠隔制御ユニット２１の遠隔制御電源部２５は電源供給入りとしたが、これはたとえば炊飯器２本体に遠隔制御待ち受けのスイッチを備え、制御端末１から遠隔制御を行うことを意図した場合は使用者は遠隔制御待ち受けのスイッチをオンし、遠隔制御を行わない場合は使用者は遠隔制御待ち受けのスイッチをオフすることで遠隔制御待ち受け状態をオン／オフ制御する構成でもよい。
【００７４】
つまり、遠隔制御待ち受けスイッチをオフした場合はステップＳ２で遠隔制御情報を送信しても遠隔制御ユニット２１はこれを受信することはできない（ステップＳ３は実行しない）。
【００７５】
上述のようにステップＳ４にて、遠隔制御許可部２４は、遠隔制御情報に含まれる炊飯ユニット２２の運転を許可するか拒否するかを判定する。一度行った運転は遠隔制御を拒否することで一度炊飯したご飯を再度炊飯することを防ぐ。そのために遠隔制御許可部２４は所定期間をカウントして、その所定期間の間に炊飯ユニット２２で既に行った運転内容と同じであれば遠隔制御を拒否と判定するものとする。
【００７６】
所定期間はたとえば、炊飯器２が備える操作部２７によって所定の操作が行われてから、所定の操作が行われるまでとする。たとえば、操作部２７のスイッチ操作によって炊飯器２（炊飯ユニット２２）の電源オン状態や炊飯開始状態、遠隔制御待ち受けオン状態にしてから所定期間をゼロからカウント開始し、操作部のスイッチ操作によって電源オフ状態や炊飯停止状態、遠隔制御待ち受けオフ状態にすると所定期間のカウントを終了する。このカウントしているあいだに遠隔制御許可部２４は既に一度行った運転は遠隔制御を拒否することで一度炊飯したご飯を再度炊飯することを防ぐことができる。
【００７７】
この遠隔制御許可部２４の所定期間のカウントについて、図３のフローチャートで説明する。これは図２のフローチャートと平行して、たとえば割り込み処理で行うフローチャートを示す。
【００７８】
遠隔制御ユニット２１の遠隔制御許可部２４は炊飯ユニット２２の操作部２７で所定の操作（たとえば、操作部２７のスイッチ操作によって炊飯器２の電源オン操作や炊飯開始操作、遠隔制御待ち受けオン操作）があったときの検知信号を待っており、その検知信号を受信したときに所定期間のカウントをゼロから開始する（ステップＳ１０１、１０２）。
【００７９】
その後、遠隔制御許可部２４は炊飯ユニット２２の操作部２７からの所定の操作（たとえば、操作部２７のスイッチ操作によって炊飯器２の電源オフ操作や炊飯停止操作、遠隔制御待ち受けオフ操作）があったときの検知信号を待っており、その検知信号を受信したときに所定期間のカウントを終了する（ステップＳ１０３、１０４）。
【００８０】
以上を繰り返すことで遠隔制御許可部２４は所定期間を繰り返しカウントする。
【００８１】
ここまで説明した内容について、時系列で動作を説明する。
【００８２】
まず図４にて、炊飯から保温までの炊飯工程を遠隔制御によって行うときを説明する。この図４では遠隔制御許可部２４による遠隔制御の許可／拒否はまだ必要ないので説明しない。
【００８３】
図４中で、（ａ）に炊飯ユニット２２の操作部２７の操作内容を、（ｂ）に機器電源部３１による炊飯ユニット２２の電源供給オン／オフ状態を、（ｃ）に運転部２６の運転内容を、（ｄ）に遠隔制御ユニット２１の遠隔制御通信部２３で受信した内容を、（ｅ）に遠隔制御電源部２５による遠隔制御ユニット２１の電源供給オン／オフ状態を、それぞれ示す。
【００８４】
使用者が（ａ）操作部２７の操作で炊飯器２を遠隔制御待ち受けオン状態にすると、（ｅ）遠隔制御電源部２５から電源が供給され遠隔制御ユニット２１が起動する。
【００８５】
次に、（ｄ）遠隔制御通信部２３で制御端末１から送信された遠隔制御情報を受信する。内容は「炊飯」「保温」の炊飯工程を指示するものとする。
【００８６】
（ｂ）機器電源部３１は遠隔制御情報の受信により炊飯ユニット２２の電源供給をオン
にし、（ｃ）運転部２６は炊飯、保温の炊飯工程を順番に運転する。
【００８７】
炊飯終了後、使用者が（ａ）操作部２７の操作で炊飯器２を遠隔制御待ち受けオフ状態にすると（ｅ）遠隔制御電源部２５の電源が遮断され遠隔制御ユニットがオフする。
【００８８】
このとき図４で、（ｃ）運転部２６が炊飯終了してから、（ａ）遠隔制御待ち受けがオフになるまでのあいだに（ｄ）遠隔制御通信部２３で新たな遠隔制御を受信したとき、たとえば「炊飯」を指示する遠隔制御であったときに、一度炊飯したお米を再度炊飯するという課題が起こる。
【００８９】
一方で、（ｃ）運転部２６が炊飯終了してから、（ａ）遠隔制御待ち受けがオフになるまでのあいだ遠隔制御ユニット２１の電源をオフして遠隔制御を全て拒否すると、たとえば、帰宅時間にあわせて「再加熱保温（保温中のご飯を加熱してあつあつにすること）」を行わせることができなくなる。また、炊飯が終わった後に携帯電話から炊飯器に炊飯状況の問い合わせを行っても炊飯器２が応答することができない。
【００９０】
炊飯したお米を再度炊飯するという課題は、遠隔制御を行う制御端末の使用者が、すでに炊飯済みということを知らないために発生する遠隔制御特有の課題である。使用者が炊飯器本体の操作部２７を操作して運転を行う場合はお米をセットするときに炊飯釜の中を確認するので炊飯したご飯をもう一度炊飯するということは起こらない。
【００９１】
そこでこのような遠隔制御特有の課題を解決するために、図５において遠隔制御許可部２４による遠隔制御の許可と拒否を説明する。
【００９２】
（ｆ）遠隔制御許可部２４は、（ｄ）遠隔制御通信部２３から遠隔制御情報を受け取ったときに、遠隔制御情報に含まれる制御を炊飯ユニット２２の運転部２６で許可するかあるいは拒否するかを判定する。一度行った運転は遠隔制御を拒否することで一度炊飯したご飯を再度炊飯することを防ぐ。
【００９３】
たとえば、図５のように、（ｃ）運転部２６が炊飯を始める前までは、「炊飯」、「保温」、の遠隔制御が許可される。何時間後に運転を終了させるか、何時から運転を開始させるかの予約運転の遠隔制御も許可される。
【００９４】
運転部２６が炊飯中は「炊飯」、「保温」の遠隔制御が許可される。炊飯中であっても、炊飯の強制終了や炊飯コースの再設定の遠隔制御が許可されるとして遠隔制御許可部２４は「炊飯」の遠隔制御を許可しているが、これらを許可しないのであれば遠隔制御許可部２４は炊飯中に「炊飯」の遠隔制御を拒否する。
【００９５】
また、いま炊飯中であれば「炊飯」を含む予約運転を行う遠隔制御は拒否する。
【００９６】
次に、炊飯が終わって保温を始めると遠隔制御許可部２４は「炊飯」に関する遠隔制御を拒否する。したがって、保温中のお米を再度炊飯することはできない。
【００９７】
保温中は遠隔制御許可部２４は「保温」に関する遠隔制御も拒否してもよいが、保温を遠隔制御で停止することはあり得るとして許可にしている。たとえば、すでに炊飯したお米を今夜は食べないときに、帰宅して冷蔵庫で保管するために遠隔制御で保温を切ることができる。
【００９８】
以上のように、遠隔制御許可部２４は所定期間の間に炊飯ユニット２２の運転部２６で既に行った運転内容と同じであれば遠隔制御を拒否と判定する。所定期間は（ａ）炊飯ユ
ニット２２の操作部２７のひとつである遠隔制御待ち受けオンスイッチの操作による、遠隔制御待ち受けオンから遠隔制御待ち受けオフのあいだである。
【００９９】
また、（ａ）操作部２７のひとつである炊飯釜の蓋を開けているときは、（ｆ）遠隔制御許可部２４は保温も含めて遠隔制御を拒否する。これは、炊飯釜の蓋が開いているときは使用者がお米を出し入れしている可能性があるので遠隔制御によって使用者の予期しない動作（たとえば蓋を開けているのに炊飯器が動作開始する、蓋を閉めたとたんに炊飯器が動作開始する）を行わないようにするためである。また、炊飯釜の蓋が閉まらない限り運転部２６は運転できないので炊飯釜が開いているときは遠隔制御を拒否する。炊飯釜の蓋の開閉の検知は蓋検知部２９によって行う。
【０１００】
図面に記載していないが、遠隔制御許可部２４は計時部を備えていて、操作部２７によって遠隔制御待ち受けオンになったときに所定期間のカウントを開始し、操作部２７によって遠隔制御待ち受けオフになったときに所定期間のカウントを停止する。その次に操作部２７によって遠隔制御待ち受けオンになったときは所定期間のカウントをゼロに戻してカウントを開始する。
【０１０１】
したがって、図５のように、（ｃ）運転部２６で炊飯、を終えた後、（ｄ）遠隔制御通信部２３から「炊飯」の指示を含む遠隔制御情報を受け取ったときに、（ｆ）遠隔制御許可部２４はこれを拒否する。すなわち、遠隔制御情報に含まれる制御を炊飯ユニット２２には伝えない（図２のステップＳ５、Ｓ６）。また、（ｂ）機器電源部による炊飯ユニット２２への電源供給も行わない。
【０１０２】
また図５のように、（ｃ）運転部２６で炊飯を終えた後保温中に、（ｄ）遠隔制御通信部２３から「再加熱保温」の指示を含む遠隔制御情報を受け取ったときに、（ｆ）遠隔制御許可部２４はこれを許可し、炊飯ユニット２２の機器制御部３０に遠隔制御情報を伝えて運転部２６で再加熱保温を行う。
【０１０３】
以上で説明したように、本実施の形態は、制御端末から送信される遠隔制御情報を受信する遠隔制御通信部と、炊飯器本体に備えて使用者により入力される運転指示情報を受け付ける操作部と、遠隔制御情報もしくは運転指示情報に従って運転を行う運転部と、遠隔制御情報に従った運転を許可するか拒否するかを判定する遠隔制御許可部とを備え、遠隔制御許可部は、遠隔制御情報に示す運転内容が、所定期間の間に運転部が既に行った運転内容と同じであれば拒否と判定する。
【０１０４】
そして、遠隔制御許可部によって既に一度行った運転は遠隔制御を拒否するので、一度炊飯したご飯を再度炊飯することを防ぐことができる。
【０１０５】
また、所定期間は、炊飯器本体が備える操作部によって所定の操作が行われてから、所定の操作が行われるまでとする。たとえば、炊飯器の電源オンスイッチや炊飯開始スイッチ、遠隔制御待ち受けオンスイッチを押してから、電源オフスイッチや炊飯停止スイッチ、遠隔制御待ち受けオフスイッチを押すまでのあいだである。
【０１０６】
そして、所定期間のあいだに遠隔制御許可部は既に一度行った運転は遠隔制御を拒否する。
【０１０７】
また、炊飯器は遠隔制御通信部に電源を供給する遠隔制御電源部を備え、所定期間の始まりは、遠隔制御電源部からの電源供給を開始したときとする。
【０１０８】
そして、制御端末から送信される遠隔制御情報を受信する遠隔制御通信部に電源を供給
することで炊飯器は遠隔制御情報を待ち受け可能となるが、これ以降に遠隔制御許可部は既に一度行った運転は遠隔制御を拒否することで一度炊飯したご飯を再度炊飯することを防ぐことができる。
【０１０９】
また、炊飯器は炊飯釜の蓋の開閉を検知する蓋検知部を備え、炊飯釜の蓋が開いているときは遠隔制御許可部は遠隔制御情報に従った運転を拒否する。
【０１１０】
そして、炊飯釜の蓋が開いているときは遠隔制御を拒否するので実行不能である遠隔制御を拒否すると共に、蓋を開けているときや蓋を閉めたとたんに炊飯器が動作開始するのを防ぎ安全を確保することができる。
【０１１１】
また、遠隔制御許可部は、遠隔制御の許可状態から拒否状態、または拒否状態から許可状態に変化したときに制御端末に報知信号を送信して報知させる。
【０１１２】
そして、制御端末は炊飯器の遠隔制御の許可または拒否の状態を報知するので、たとえば拒否状態にある炊飯器に使用者が遠隔制御を行うことを防ぐことができる。
【０１１３】
なお、遠隔制御許可部は既に一度行った運転は遠隔制御を拒否するとしたが、運転の工程が複数の運転内容から構成されるものであれば、すでに行った運転よりも上流側の工程の運転を拒否するとしてもよい。たとえば、炊飯工程が、お米研ぎ、炊飯、保温において、すでに行った運転が炊飯であれば、炊飯の上流工程である「お米研ぎ」と「炊飯」は遠隔制御の運転を拒否するように遠隔制御許可部は判定する。
【０１１４】
（実施の形態２）
本発明の実施の形態２に係る炊飯システムの全体構成を示す図は図１の実施の形態１と同じ、各部の動作例については図２のフローチャートと同じであるので詳細な説明を省く。
【０１１５】
上記実施の形態１では、炊飯ユニットの操作部のひとつである遠隔制御待ち受けオンスイッチの操作によって、所定期間は遠隔制御待ち受けオンから遠隔制御待ち受けオフのあいだとしたが、遠隔制御許可部は別の方法で所定期間をカウントしてもよい。
【０１１６】
所定期間はたとえば、炊飯釜の釜検知部３２を用いて炊飯釜の有無を検知し、炊飯釜がセットされてから（検知有りになってから）所定期間のカウントを開始し、炊飯釜が炊飯器から取り出されたとき（検知無しになったとき）に所定期間のカウントを開始する。
【０１１７】
これによれば、お米を準備した炊飯釜を炊飯器にセットしてから、炊飯し終わった後に炊飯釜を炊飯器から取り外すまでのあいだに遠隔制御許可部は既に一度行った運転は遠隔制御を拒否する。炊飯釜の有無の状態変化を把握することで一度炊飯したご飯を再度炊飯することを防ぐことができる。
【０１１８】
時系列の動作について、実施の形態１の図５に代えて図６で説明する。
【０１１９】
図６では炊飯器２の炊飯釜をセットすることで（ｇ）釜検知部３２が検知有りとなり、遠隔制御許可部２４は所定期間のカウントを始める。その後、（ａ）操作部２７のひとつによって機器電源部３１の電源供給をオンして炊飯ユニット２２を起動する。そして、操作部２７のひとつによって運転する炊飯コースを設定し、炊飯を開始する。
【０１２０】
所定期間のカウントは、（ｃ）運転部２６によって炊飯、保温、再加熱保温（遠隔制御による）、保温の後、炊飯釜が取り出されるまで続けられる。
【０１２１】
この所定期間の間、遠隔制御許可部２４は、運転部が既に行った運転内容と同じであれば拒否と判定する。
【０１２２】
図６で、（ｃ）運転部２６で炊飯を終えた後、（ｄ）遠隔制御通信部２３から「炊飯」の指示を含む遠隔制御情報を受け取ったときに、（ｆ）遠隔制御許可部２４はこれを拒否するのは実施の形態１と同じである。
【０１２３】
また、（ｃ）運転部２６で炊飯を終えた後、（ｄ）遠隔制御通信部２３から「再加熱保温」の指示を含む遠隔制御情報を受け取ったときに、（ｆ）遠隔制御許可部２４はこれを許可し、炊飯ユニット２２の機器制御部３０に伝えて運転部２６で再加熱保温を行うのは実施の形態１と同じである。
【０１２４】
以上で説明したように、炊飯器は炊飯釜の有無を検知する釜検知部を備え、所定期間は、炊飯釜の有りを検知してから、炊飯釜の無しを検知するまでとする。
【０１２５】
そして、お米を準備した炊飯釜を炊飯器にセットしてから、炊飯し終わった後に炊飯釜を炊飯器から取り外すまでのあいだに遠隔制御許可部は既に一度行った運転は遠隔制御を拒否する。炊飯釜の有無の変換を把握することで一度炊飯したご飯を再度炊飯することを防ぐことができる。
【０１２６】
また、炊飯ユニット２２の機器電源部３１は炊飯器２本体に備える電源スイッチの操作で電源供給オン／オフを行う構成とし、所定期間の始まりを、操作部２７によって機器電源部３１からの電源供給を開始したときとしてもよい。
【０１２７】
図６に代えて図７で説明する。
【０１２８】
使用者が（ａ）操作部２７の操作で炊飯器２の運転部２６の電源をオン状態にすると、（ｂ）機器電源部３１から電源が供給され炊飯ユニット２２が起動する。このときより遠隔制御許可部２４は所定期間のカウントを始める。その後、（ａ）操作部２７によって運転する炊飯コースを設定し、炊飯を開始する。
【０１２９】
所定期間のカウントは、（ｃ）運転部２６によって炊飯、保温、再加熱保温（遠隔制御による）、保温の後、（ａ）操作部２７の操作で炊飯ユニットの電源オフされるまで続けられる。
【０１３０】
この所定期間の間、遠隔制御許可部２４は、運転部２６が既に行った運転内容と同じであれば拒否と判定する。
【０１３１】
これによれば、炊飯器の運転部に電源を供給することで炊飯器は運転可能となるが、これ以降に遠隔制御許可部は既に一度行った運転は遠隔制御を拒否することで一度炊飯したご飯を再度炊飯することを防ぐことができる。
【０１３２】
また所定期間の別の方法として、図示しないが、炊飯釜の中のお米検知部を備え、例えばお米の重量を計測する重量センサによって、お米が無い状態から有る状態に切りかわったときに遠隔制御許可部は所定期間のカウントを開始してもよい。そして、お米が有る状態から無い状態に切りかわったときに所定期間を終了する。このようにすれば、炊飯釜のお米の出し入れを検知できるのでお米が入ったままの状態で２回目の炊飯を行うことを防ぐことができる。
【０１３３】
以上のように、実施の形態１、２の遠隔制御許可部によって既に一度行った運転の遠隔制御を拒否するので、一度炊飯したご飯を再度炊飯することを防ぐことができる。
【０１３４】
ところで、図１では遠隔制御許可部２４を炊飯器２に備えた構成で説明したが、炊飯システムの中で遠隔制御許可部を中継装置３に備えたり、制御端末１に備える構成が可能である。さらに、図示しないが、所定期間をカウントする計時部を遠隔制御許可部と切り離し、計時部を炊飯器２に残して遠隔制御許可部は中継装置３に備えたり、制御端末１に備える構成も可能である。
【０１３５】
遠隔制御許可部を中継装置に備えた場合の炊飯システムの全体構成を図８に示す。中継装置３に遠隔制御許可部２４ａを備える。各部の動作例は図２、図３のフローチャートとほぼ同じで、図２の遠隔制御ユニット２１の遠隔制御許可部２４の動きを中継装置３で行う。
【０１３６】
すなわち、中継装置３が備える遠隔制御許可部２４ａは、制御端末１からの遠隔制御情報を受信する一方で、炊飯器２の運転部２６の運転状況が変化する毎にその運転状況を炊飯器２から受信して、制御端末１からの遠隔制御情報に従った運転を許可するか拒否するかを判定する。
【０１３７】
そして、遠隔制御を許可するときは遠隔制御許可部２４ａは、機器電源部３１から炊飯ユニット２２の電源供給を開始させて炊飯ユニット２２を起動させる。その後、遠隔制御情報を機器制御部３０に送信して、遠隔制御情報に含まれる運転内容を運転部２６に運転させる。
【０１３８】
また所定期間のカウントは、遠隔制御許可部２４ａで、炊飯器２から遠隔制御電源部２５の電源供給のオン／オフ状態や機器電源部３１の電源供給のオン／オフ状態、釜検知部３２からの釜検知信号を受信してカウントする。あるいは、図示しないが、炊飯器２が備える計時部にて、炊飯器２から遠隔制御電源部２５の電源供給のオン／オフ状態や機器電源部３１の電源供給のオン／オフ状態、釜検知部３２からの炊飯釜の検知信号を受信してカウントし、所定期間の開始と終了を遠隔制御許可部２４ａに通知する。
【０１３９】
また、遠隔制御許可部２４ａは、遠隔制御通信部２３を通して炊飯ユニット２２の機器電源部３１の電源供給のオンを制御する。
【０１４０】
したがって、炊飯システム全体の動作はすでに説明した図５、図６、図７と変わらないで実現することができる。
【０１４１】
中継装置３に遠隔制御許可部２４ａを備える利点は、中継装置３（たとえばサーバ）で炊飯器２の状況と遠隔制御情報の許可／拒否が把握でき、制御端末１からの遠隔制御を拒否する場合には中継器で判定するので、その遠隔制御情報を中継装置３から炊飯器２に送信する必要がない。許可／拒否が早く判定できる。
【０１４２】
次に、遠隔制御許可部を制御端末に備えた場合の炊飯システムの全体構成を図９に示す。制御端末１に遠隔制御許可部２４ｂを備える。各部の動作例は図２のフローチャートとほぼ同じで、図２の遠隔制御ユニット２１の遠隔制御許可部２４の動きを制御端末１で行う。
【０１４３】
すなわち、制御端末１の遠隔制御許可部２４ｂは、制御部１４からの遠隔制御情報を受信する一方で、炊飯器２の運転部２６の運転状況が変化する毎にその運転状況を炊飯器２から中継装置３を通して受信して、制御部１４からの遠隔制御情報に従った運転を許可す
るか拒否するかを判定する。
【０１４４】
そして、遠隔制御を許可するときは遠隔制御許可部２４ｂは、機器電源部３１から炊飯ユニット２２の電源供給を開始させて炊飯ユニット２２を起動させる。その後、遠隔制御情報を機器制御部３０に送信して、遠隔制御情報に含まれる運転内容を運転部２６に運転させる。
【０１４５】
また所定期間のカウントは、遠隔制御許可部２４ｂで、中継装置３を通して炊飯器２から遠隔制御電源部２５の電源供給のオン／オフ状態や機器電源部３１の電源供給のオン／オフ状態、釜検知部３２からの釜検知信号を受信してカウントする。あるいは、図示しないが、炊飯器２が備える計時部にて、炊飯器２から遠隔制御電源部２５の電源供給のオン／オフ状態や機器電源部３１の電源供給のオン／オフ状態、釜検知部３２からの釜検知信号を受信してカウントし、所定期間の開始と終了を遠隔制御許可部２４ｂに通知する。
【０１４６】
また、遠隔制御許可部２４ｂは、遠隔制御通信部２３を通して炊飯ユニット２２の機器電源部３１の電源供給のオンを制御する。
【０１４７】
したがって、炊飯システム全体の動作はすでに説明した図５、図６、図７と変わらないで実現することができる。
【０１４８】
制御端末１に遠隔制御許可部２４ｂを備える利点は、制御端末１内で遠隔制御情報の許可／拒否が把握できるので、制御部１４は遠隔制御のメニュー画面を報知して使用者に入力させるときに、許可されない遠隔制御内容は非表示にして使用者が選べないようにすることが可能である。また、拒否されるような遠隔制御情報を制御端末から送信することがなくなる。
【０１４９】
以上のように、本実施の形態は制御端末、中継装置、炊飯器で構成するが、その一部の構成を別の装置に備えるように異ならせても実現可能である。
【０１５０】
また、本実施の形態では制御端末と炊飯器のあいだに中継装置を通して通信する構成を説明したが、中継装置を使わずに制御端末と炊飯器とが直接通信する構成でも実現できる（図８を除く）。
【０１５１】
また、上記実施の形態をコンピュータとコンピュータプログラムで実現してもよい。
【産業上の利用可能性】
【０１５２】
以上のように、本発明にかかる炊飯器、炊飯システム、炊飯器の制御方法、炊飯器の制御プログラムは、遠隔制御情報に従った運転を許可するか拒否するかを判定する遠隔制御許可部を備え、遠隔制御許可部は、遠隔制御情報に示す運転内容が、所定期間の間に運転部が既に行った運転内容と同じであれば拒否と判定する。これによって、遠隔制御許可部によって既に一度行った運転は遠隔制御を拒否するので、一度炊飯したご飯を再度炊飯することを防ぐことができる。
【０１５３】
本願は家庭用、業務用の炊飯器に関わらず利用できる。また衣類炊飯器で説明したがこれに関わらず食器などの物体を炊飯洗浄する装置において、遠隔から制御する炊飯洗浄装置であれば構わない。
【符号の説明】
【０１５４】
１  制御端末
２  炊飯器
３  中継装置
１１  無線通信部
１２  入力部
１３  報知部
１４  制御部
２１  遠隔制御ユニット
２２  炊飯ユニット
２３  遠隔制御通信部
２４、２４ａ、２４ｂ  遠隔制御許可部
２５  遠隔制御電源部
２６  運転部
２７  操作部
２８  報知部
２９  蓋検知部
３０  機器制御部
３１  機器電源部
３２  釜検知部
【図１】
2014226238.tif 000003
【図２】
2014226238.tif 000004
【図３】
2014226238.tif 000005
【図４】
2014226238.tif 000006
【図５】
2014226238.tif 000007
【図６】
2014226238.tif 000008
【図７】
2014226238.tif 000009
【図８】
2014226238.tif 000010
【図９】
2014226238.tif 000011